(57)【要約】【課題】バット基材及びヘッド・キャップ間の係合をより強固にすることを可能にする打球用バットのヘッド・キャップ取り付け構造を提供する。【解決手段】先端部１１に、外周縁に渡り軸方向で先方に向いた突当部１７と、軸方向の先方へ突出する嵌合部１９と、嵌合部１９に形成された係合部２１とを備え、ヘッド・キャップ１３に、外周縁に渡り軸方向で後方に向いた被突当部２３と、被突当部２３を備えた被嵌合部２５と、被嵌合部２５よりも内径側に形成され軸方向に凹状の嵌合凹部２７と、嵌合凹部２７内又は被突当部２３及び嵌合凹部２７間に形成された被係合部２９とを備え、突当部１７及び被突当部２３を突き当てるように嵌合部１９及び被嵌合部２５を嵌合させると共に嵌合部１９の少なくとも一部と嵌合凹部２７とを嵌合させ且つ係合部２１及び被係合部２９を係合させて先端部１１へのヘッド・キャップ１３の取り付けを行ったことを特徴とする。【選択図】図５
2015012979.tif 000002
【特許請求の範囲】
【請求項１】
中空状のバット基材の先端部にヘッド・キャップを取り付けた打球用バットのヘッド・キャップ取り付け構造であって、
前記先端部に、外周縁に渡り軸方向で先方に向いた突当部と、この突当部よりも内周側で軸方向の先方へ突出する嵌合部と、この嵌合部の内外周の一方に形成された係合部とを備え、
前記ヘッド・キャップに、外周縁に渡り軸方向で後方に向いた被突当部と、この被突当部を備えた被嵌合部と、この被嵌合部よりも内径側に形成され軸方向に凹状の嵌合凹部と、この嵌合凹部内又は前記被突当部及び嵌合凹部間に形成された被係合部とを備え、
前記突当部及び被突当部を突き当てるように前記嵌合部及び被嵌合部を嵌合させると共に前記嵌合部の少なくとも一部と嵌合凹部とを嵌合させ且つ前記係合部及び被係合部を係合させて前記先端部への前記ヘッド・キャップの取り付けを行った、
ことを特徴とする打球用バットのヘッド・キャップ取り付け構造のヘッド・キャップ取り付け構造。
【請求項２】
請求項１記載の打球用バットのヘッド・キャップ取り付け構造であって、
前記バット基材は、前記打球部が金属又は繊維強化プラスチックのみで中空状に形成され、
前記嵌合部の外周側又は内周側に、前記係合部を備え、
前記嵌合凹部内の内径側又は外径側若しくは前記被突当部及び嵌合凹部間の内周側に、前記被係合部を備えた、
ことを特徴とする打球用バットのヘッド・キャップ取り付け構造。
【請求項３】
請求項２記載の打球用バットのヘッド・キャップ取り付け構造であって、
前記係合部は、係合凹部又は係合凸部若しくは係合段部であり、
前記被係合部は、被係合凸部である、
ことを特徴とする打球用バットのヘッド・キャップ取り付け構造。
【請求項４】
請求項２記載の打球用バットのヘッド・キャップ取り付け構造であって、
前記嵌合部の先端に、前記嵌合凹部に嵌合させるためのインナー・フランジを有し、
前記係合部は、前記インナー・フランジの内周部に備えられ、
前記嵌合凹部は、前記嵌合部及びインナー・フランジに応じた形状を備え、
前記被係合部は、前記嵌合凹部の内径側に形成された被係合凸部である、
ことを特徴とする打球用バットのヘッド・キャップ取り付け構造。
【請求項５】
請求項１記載の打球用バットのヘッド・キャップ取り付け構造であって、
前記バット基材は、前記打球部が金属又は繊維強化プラスチックで中空状に形成された外周面に弾性体を備え、
前記突当部は、前記弾性体の軸方向先端に備えられ、
前記嵌合部は、前記バット基材に備えられた、
ことを特徴とする打球用バットのヘッド・キャップ取り付け構造。
【請求項６】
請求項５記載の打球用バットのヘッド・キャップ取り付け構造であって、
前記嵌合部の外周側又は内周側に、前記係合部を備え、
前記嵌合凹部内の内径側又は外径側若しくは前記被突当部及び嵌合凹部間の内周側に、前記被係合部を備えた、
ことを特徴とする打球用バットのヘッド・キャップ取り付け構造。
【請求項７】
請求項５又は６記載の打球用バットのヘッド・キャップ取り付け構造であって、
前記弾性体に備えた前記突当部に、軸方向の先方に向いた外側嵌合凸部を備え、
前記ヘッド・キャップに備えた前記被突当部に、軸方向で前記外側嵌合凸部に向いた外側嵌合凹部を備え、
前記外側嵌合凸部に前記外側嵌合凹部を嵌合させた、
ことを特徴とする打球用バットのヘッド・キャップ取り付け構造。
【請求項８】
請求項５〜７の何れか１項記載の打球用バットのヘッド・キャップ取り付け構造であって、
前記嵌合凹部内の内径側又は外径側を構成する周壁部若しくは前記嵌合凹部内の内径側及び外径側を構成する各周壁部が、軸方向で前記被突当部よりも後方へ延出している、
ことを特徴とする打球用バットのヘッド・キャップ取り付け構造。
【発明の詳細な説明】
【技術分野】
【０００１】
本発明は、野球用、ソフトボール用などに使用する打球用バットのヘッド・キャップ取り付け構造に関する。
【背景技術】
【０００２】
従来、打球用バットのヘッド・キャップ取り付け構造としては、特許文献1に記載のものと同様に、図２７のような打球用バットにおいて、例えば図２８〜図３１に示すものがある。
【０００３】
図２７の打球用バット１０１は、例えば材質としてアルミ合金製、チタン合金製、繊維強化プラスチック製等の中空状のバット基材１０３を用いている。打球用バット１０１には、打球部１０５、テーパー部１０７、グリップ部１０９が形成されている。打球部１０５の先端部１１１には、ヘッド・キャップ１１３が取り付けられ、グリップ部１０９には、グリップ・エンド１１５が取り付けられている。
【０００４】
図２８〜図３１は、打球用バットのヘッド・キャップ取り付け構造を示す先端部側の断面図である。なお、図中、ヘッド・キャップに断面のハッチングは付さない。
【０００５】
図２８、図２９の例は、打球部１０５が金属又は繊維強化プラスチックのみで中空状に形成され、図３０、図３１の例は、打球部１０５が金属又は繊維強化プラスチックで中空状に形成され、その外周面にウレタン・フォーム等の弾性体１１７を備えたものでる。
【０００６】
図２８の例では、バット基材１０３先端の突当面１１９に、ヘッド・キャップ１１３の被突当面１２１を突き当てるようにしてヘッド・キャップ１１３を先端部１１１に組み付け、先端部１１１のインナー・フランジ状の係合部１２３にヘッド・キャップ１１３の周回状の嵌合凹部１２５を内周側から係合させたものである。
【０００７】
図２９〜図３１の例では、図１５の例と対応する構成部分にＡ、Ｂ、Ｃを付して説明する。
【０００８】
図２９の例では、バット基材１０３Ａ先端の突当面１１９Ａに、ヘッド・キャップ１１３Ａの被突当面１２１Ａを突き当てるようにしてヘッド・キャップ１１３Ａを先端部１１１Ａに組み付け、先端部１１１Ａの周回状の係合凹部１２３Ａにヘッド・キャップ１１３の周回状の係合凸部１２５Ａを内周側から係合させたものである。
【０００９】
図３０の例では、バット基材１０３Ｂ先端の突当面１１９Ｂ及び弾性体１１７が有する突当面１１７ａに、ヘッド・キャップ１１３Ｂの被突当面１２１Ｂを突き当てるようにしてヘッド・キャップ１１３Ｂを先端部１１１Ｂに組み付け、先端部１１１Ｂの内周の係合凹部１２３Ｂにヘッド・キャップ１１３Ｂの係合凸部１２５Ｂを内周側から係合させたものである。
【００１０】
図３１の例では、バット基材１０３Ｃ先端の突当面１１９Ｃにヘッド・キャップ１１３Ｃの被突当面１２１Ｃaを突き当てると共に弾性体１１７Ｃが有する突当面１１７Ｃａに、ヘッド・キャップ１１３Ｃの被突当面１２１Ｃｂを突き当てるようにしてヘッド・キャップ１１３Ｃを先端部１１１Ｃに組み付け、先端部１１１Ｃの外周側の係合凹部１２３Ｃにヘッド・キャップ１１３Ｃの嵌合凸部１２５Ｃを外周側から係合させたものである。
【００１１】
これら図２８〜図３１の何れの例においても、バット基材に対するヘッド・キャップの取り付けを確実に行わせることができる。
【００１２】
しかし、図２８の例では、バット基材１０３の係合部１２３に、ヘッド・キャップの係合凹部１２５が、内周側からのみ係合する構造となっている。図２９、図３０の例では、バット基材１０３Ａ、１０３Ｂの係合凹部１２３Ａ、１２３Ｂに、ヘッド・キャップ１１３Ａ、１１３Ｂの係合凸部１２５Ａ、１２５Ｂが、内周側からのみ係合する構造となっている。図３１の例では、バット基材１０３Ｃの係合凹部１２３Ｃに、ヘッド・キャップ１１３Ｃの係合凸部１２５Ｃが、外周側からのみ係合する構造となっている。
【００１３】
このように、バット基材及びヘッド・キャップ間の係合が、内外周の一方側からのみ行われる構造であると、例えば図２８の例では、ヘッド・キャップ１１３側の先端部にボールが当った時、係合部１２３及び嵌合凹部１２５間に過度の変形が生じ、突当面１１９及び被突当面１２１間に隙間ができ、さらには、ヘッド・キャップ１１３の脱落を招く等の不具合を招き易かった。図２９〜図３１の例においても同様である。
【先行技術文献】
【特許文献】
【００１４】
【特許文献１】特開２０１０−１１９４６２号公報
【発明の概要】
【発明が解決しようとする課題】
【００１５】
解決しようとする問題点は、バット基材及びヘッド・キャップ間の係合が、外周側又は内周側からのみ行われる構造であるため、ヘッド・キャップにボールが当った時は、過度の変形が生じ、突当面及び被突当面間に隙間ができる等の不具合を招き易かった点である。
【課題を解決するための手段】
【００１６】
本発明は、バット基材及びヘッド・キャップ間の係合を、より強固にすることを可能とするために、中空状のバット基材の先端部にヘッド・キャップを取り付けた打球用バットのヘッド・キャップ取り付け構造であって、前記先端部に、外周縁に渡り軸方向で先方に向いた突当部と、この突当部よりも内径側で軸方向の先方へ突出する嵌合部と、この嵌合部の内外周の一方に形成された係合部とを備え、前記ヘッド・キャップに、外周縁に渡り軸方向で後方に向いた被突当部と、この被突当部を備えた被嵌合部と、この被嵌合部よりも内径側に形成され軸方向に凹状の嵌合凹部と、この嵌合凹部内又は前記被突当部及び嵌合凹部間に形成された被係合部とを備え、前記突当部及び被突当部を突き当てるように前記嵌合部及び被嵌合部を嵌合させると共に前記嵌合部の少なくとも軸方向の一部と前記嵌合凹部とを嵌合させ且つ前記係合部及び被係合部を軸方向及び径方向に係合させて前記先端部への前記ヘッド・キャップの取り付けを行ったことを特徴とする。
【発明の効果】
【００１７】
本発明のバット基材の製造方法は、上記構成であるから、バット基材側の嵌合部がヘッド・キャップ側の嵌合凹部に嵌合された状態で、嵌合部の係合部に、ヘッド・キャップの嵌合凹部内の又は被突当面及び嵌合凹部間の被係合部が軸方向及び径方向に係合することで、嵌合部及び嵌合凹部の嵌合と係合部及び被係合部の係合とが相互に関連して動きが規制され、ヘッド・キャップをバット基材に強固に取り付けることができる。
【図面の簡単な説明】
【００１８】
【図１】打球用バットのヘッド・キャップ取り付け構造を示す先端部側の断面図である。（実施例１）
【図２】打球用バットのヘッド・キャップ取り付け構造を示す先端部側の要部拡大断面図である。（実施例１）
【図３】打球用バットのヘッド・キャップ取り付け構造を示す先端部側の断面図である。（実施例２）
【図４】打球用バットのヘッド・キャップ取り付け構造を示す先端部側の要部拡大断面図である。（実施例２）
【図５】打球用バットのヘッド・キャップ取り付け構造を示す先端部側の断面図である。（実施例３）
【図６】打球用バットのヘッド・キャップ取り付け構造を示す先端部側の要部拡大断面図である。（実施例３）
【図７】打球用バットのヘッド・キャップ取り付け構造を示す先端部側の断面図である。（実施例４）
【図８】打球用バットのヘッド・キャップ取り付け構造を示す先端部側の要部拡大断面図である。（実施例４）
【図９】打球用バットのヘッド・キャップ取り付け構造を示す先端部側の断面図である。（実施例５）
【図１０】打球用バットのヘッド・キャップ取り付け構造を示す先端部側の要部拡大断面図である。（実施例５）
【図１１】打球用バットのヘッド・キャップ取り付け構造を示す先端部側の断面図である。（実施例６）
【図１２】打球用バットのヘッド・キャップ取り付け構造を示す先端部側の要部拡大断面図である。（実施例６）
【図１３】打球用バットのヘッド・キャップ取り付け構造を示す先端部側の断面図である。（実施例７）
【図１４】打球用バットのヘッド・キャップ取り付け構造を示す先端部側の要部拡大断面図である。（実施例７）
【図１５】打球用バットのヘッド・キャップ取り付け構造を示す先端部側の断面図である。（実施例８）
【図１６】打球用バットのヘッド・キャップ取り付け構造を示す先端部側の要部拡大断面図である。（実施例８）
【図１７】打球用バットのヘッド・キャップ取り付け構造を示す先端部側の断面図である。（実施例９）
【図１８】打球用バットのヘッド・キャップ取り付け構造を示す先端部側の要部拡大断面図である。（実施例９）
【図１９】打球用バットのヘッド・キャップ取り付け構造を示す先端部側の断面図である。（実施例１０）
【図２０】打球用バットのヘッド・キャップ取り付け構造を示す先端部側の要部拡大断面図である。（実施例１０）
【図２１】打球用バットのヘッド・キャップ取り付け構造を示す先端部側の断面図である。（実施例１１）
【図２２】打球用バットのヘッド・キャップ取り付け構造を示す先端部側の要部拡大断面図である。（実施例１１）
【図２３】打球用バットのヘッド・キャップ取り付け構造を示す先端部側の断面図である。（実施例１２）
【図２４】打球用バットのヘッド・キャップ取り付け構造を示す先端部側の要部拡大断面図である。（実施例１２）
【図２５】打球用バットのヘッド・キャップ取り付け構造を示す先端部側の断面図である。（実施例１３）
【図２６】打球用バットのヘッド・キャップ取り付け構造を示す先端部側の要部拡大断面図である。（実施例１３）
【図２７】打球用バットの概略全体図である。
【図２８】打球用バットのヘッド・キャップ取り付け構造を示す先端部側の断面図である。（従来例１）
【図２９】打球用バットのヘッド・キャップ取り付け構造を示す先端部側の断面図である。（従来例２）
【図３０】打球用バットのヘッド・キャップ取り付け構造を示す先端部側の断面図である。（従来例３）
【図３１】打球用バットのヘッド・キャップ取り付け構造を示す先端部側の断面図である。（従来例４）
【発明を実施するための形態】
【００１９】
バット基材及びヘッド・キャップ間の係合をより強固にすることを可能にするという目的を、中空状のバット基材の先端部にヘッド・キャップを取り付けた打球用バットのヘッド・キャップ取り付け構造であって、前記先端部に、外周縁に渡り軸方向で先方に向いた突当部と、この突当部よりも内径側で軸方向の先方へ突出する嵌合部と、この嵌合部の内外周の一方に形成された係合部とを備え、前記ヘッド・キャップに、外周縁に渡り軸方向で後方に向いた被突当部と、この被突当部を備えた被嵌合部と、この被嵌合部よりも内径側に形成され軸方向に凹状の嵌合凹部と、この嵌合凹部内又は前記被突当部及び嵌合凹部間に形成された被係合部とを備え、前記突当部及び被突当部を突き当てるように前記嵌合部及び被嵌合部を嵌合させると共に前記嵌合部の少なくとも軸方向の一部と前記嵌合凹部とを嵌合させ且つ前記係合部及び被係合部を軸方向及び径方向に係合させて前記先端部への前記ヘッド・キャップの取り付けを行ったことで実現した。
【００２０】
前記バット基材は、前記打球部が金属又は繊維強化プラスチックのみで中空状に形成され、前記嵌合部の外周側又は内周側に、前記係合部を備え、前記嵌合凹部内の内径側又は外径側若しくは前記被突当部及び嵌合凹部間の内周側に、前記被係合部を備えてもよい。
【００２１】
前記係合部は、係合凹部又は係合凸部若しくは係合段部であり、前記被係合部は、被係合凸部であってもよい。
【００２２】
前記嵌合部の先端に、前記嵌合凹部に嵌合させるためのインナー・フランジを有し、前記係合部は、前記インナー・フランジの内周部に備えられ、前記嵌合凹部は、前記嵌合部及びインナー・フランジに応じた形状を備え、前記被係合部は、前記嵌合凹部の内径側に形成された被係合凸部であってもよい。
【００２３】
前記バット基材は、前記打球部が金属又は繊維強化プラスチックで中空状に形成された外周面に弾性体を備え、前記突当部は、前記弾性体の軸方向先端に備えられ、前記嵌合部は、前記バット基材に備えられてもよい。
【００２４】
前記嵌合部の外周側又は内周側に、前記係合部を備え、前記嵌合凹部内の内径側又は外径側若しくは前記被突当部及び嵌合凹部間の内周側に、前記被係合部を備えてもよい。
【００２５】
前記弾性体に備えた前記突当部に、軸方向の先端に向いた外側嵌合凸部を備え、  前記ヘッド・キャップに備えた前記被突当部に、軸方向で前記外側嵌合凸部に向いた外側嵌合凹部を備え、前記外側嵌合凸部に前記外側嵌合凹部を嵌合させてもよい。
【００２６】
前記嵌合凹部内の内径側又は外径側を構成する周壁部若しくは前記嵌合凹部内の内径側及び外径側を構成する各周壁部が、軸方向で前記被突当部よりも後方へ延出してもよい。
【実施例１】
【００２７】
図１、図２は、本発明実施例１に係り、図１は、打球用バットのヘッド・キャップ取り付け構造を示す先端部側の断面図、図２は、打球用バットのヘッド・キャップ取り付け構造を示す先端部側の要部拡大断面図である。以下の説明において、軸方向とは、打球用バットの延伸方向である図１の左右方向、径方向とは、軸方向に直交する方向、先方とは、ヘッド・キャップ方向、後方とは、グリップ・エンド方向を意味する。図中、ヘッド・キャップに断面のハッチングは付さない。他の実施例においても同様である。
【００２８】
図１の打球用バット１は、図２７の打球用バット１０１と基本構造は同様であり、中空状のバット基材３の先端にヘッド・キャップ１３を取り付けたものである。図２７を併用すると、打球用バット１には、打球部５、テーパー部７、グリップ部９が形成されている。その他、図２７の()内の符号の構成を、本発明の実施例を適用する打球用バット１は備えている。
【００２９】
バット基材３は、例えばアルミニウム、アルミニウム合金、チタン、チタニウム合金、マグネシウム合金、アルミニウム‐スカンジウム合金、スカンジウム合金、合金鋼等の中空状金属製、繊維強化プラスチック製であり、打球部５が前記金属又は繊維強化プラスチックのみで中空状に形成された構成となっている。
【００３０】
打球部５の先端部を構成するバット基材３の先端部１１は、突当部１７と、嵌合部１９と、係合部としての係合凹部２１とを備えている。
【００３１】
図１、図２のように、突当部１７は、径方向に沿った平坦な面で構成され、軸方向で先方に向いており、打球部５の一般部５ａと縮径した嵌合部１９との段付き間に形成されている。突当部１７は、先端部１１の外周縁である打球部５の一般部５ａに渡っている。本実施例において、突当部１７の径方向の幅は、一般部５ａの肉厚程度としている。但し、突当部１７としてヘッド・キャップ１３の後述する被突当部を隙間なく突き当てることができればよく、幅は、一般部５ａの肉厚よりも大きく又は小さくすることができる。また、突当部１７は、曲面、傾斜面、これらの組合せでもよい。
【００３２】
嵌合部１９は、突当部１７の内径側である突当部１７の内端から軸方向で先方に円筒状に突出している。嵌合部１９の内外周面１９ａ、１９ｂ間の肉厚は、打球部５の一般部５ａと同程度に設定され、外周面１９ｂの径が一般部５ａの外周径よりも肉厚に相当する寸法で縮径形成されている。但し、ヘッド・キャップ１３を嵌合係止させるに十分であれば、打球部５の一般部５ａの肉厚よりも薄く又は厚く形成することができる。嵌合部１９の後方の面１９ｃは、径方向に沿って形成され、面１９ｃと突当部１７との間の寸法は、一般部５ａの肉厚と同等に設定されている。但し、面１９ｃと突当部１７との軸方向間の寸法は、一般部５ａの肉厚に対し、小さく又は大きく形成することもできる。嵌合部１９の一部である先端嵌合部１９ｄの端面１９ｄａは、径方向に沿って平坦に形成され、先方へ向いている。端面１９ｄａは、曲面、傾斜面、これらの組み合わせでもよい。
【００３３】
係合凹部２１は、嵌合部の内外周の一方、本実施例では、嵌合部１９の外周面１９ｂ側に凹状に周回形成されている。係合凹部２１の係合面２１ａは、径方向に沿って形成され、軸方向の後方に向いている。係合凹部２１の円筒面状の底部２１ｂの後方端には、突当部１７との間にテーパー面２１ｃが形成されている。テーパー面２１ｃの突当部１７での終点は、嵌合部１９の外周径と同等位置である。テーパー面２１ｃにより係合凹部２１の底部２１ｂと突当部１７との間の補強を行っている。
【００３４】
ヘッド・キャップ１３は、本実施例において樹脂により形成されている。このヘッド・キャップ１３には、被突当部２３と、被嵌合部２５と、嵌合凹部２７と、被係合部としての被係合凸部２９とが備えられている。
【００３５】
被突当部２３は、突当部１７に対応して平坦な面で形成され、ヘッド・キャップ１３の径方向に沿った面で形成され、軸方向の後方に向いている。被突当部２３は、突当部１７に対応して、曲面、傾斜面、これらの組合せでもよい。
【００３６】
被嵌合部２５は、後方端に被突当部２３を備えている。被嵌合部２５の外径は、打球部５の一般部５ａの外径とほぼ等しく、突当部１７及び被突当部２３間に外周面での段差が無いように設定されている。被嵌合部２５の径方向の肉厚は、本実施例において打球部５にほぼ等しく設定されている。
【００３７】
嵌合凹部２７は、被嵌合部２５よりも内径側でキャップ本体部３１との間に周回形成され、軸方向に凹状となっている。本実施例の嵌合凹部２７は、径方向に面が沿った平坦な奥壁２７ａと被係合凸部２９の被係合面２９ａとの間で軸方向の長さが規定されている。奥壁２７ａは、端面１９ｄａに対応して、曲面、傾斜面、これらの組み合わせでもよい。この嵌合凹部２７の軸方向の長さは、被嵌合部２５よりも短く、先端嵌合部１９ｄの端面１９ｄａと係合面２１ａとの間の軸方向の長さと同等であり、被嵌合部２５がキャップ本体部３１から後方へ突出する形状となっている。
【００３８】
なお、係合面２１ａと被係合面２９ａとが係合し、突当部１７と被突当部２３とが正確に当接すれば、奥壁２７ａと端面１９ｄａとの間には、多少の隙間を有してもよい。
【００３９】
嵌合凹部２７内の内外径側２７ｂ、２７ｃ間の幅は、嵌合部１９の先端嵌合部１９ａの径方向の肉厚と同等に設定されている。嵌合凹部２７内の内径側２７ｂの後方端には、面取り部２７ｄが形成され、キャップ本体部３１の後方側の面３１ａに至っている。面３１ａは、被係合面２９ａと軸方向の同位置で径方向に沿っている。面３１ａの外周縁である面取り部２７ｄの内径側の縁と被係合面２９ａの内径側である被係合凸部２９の内周面２９ｂとの間の寸法は、先端嵌合部１９ｄの肉厚と同等に形成されている。但し、この間隔を先端嵌合部１９ｄの肉厚よりも小さく又は大きく形成することもできる。
【００４０】
被係合凸部２９は、本実施例において被突当部２３及び嵌合凹部２７間に形成されている。この被係合凸部２９は、被嵌合部２５の内周に凸状に周回形成されている。被係合凸部２９の被係合面２９ａは、径方向に沿って形成され、軸方向の先方に向いている。被係合凸部２９の円筒面状の内周面２９ｂは、係合凹部２１の底部２１ｂに弛みなく嵌合する程度に形成されている。被係合凸部２９の後方端には、被嵌合部２５の内周面に至るテーパー面２９ｃが形成されている。テーパー面２９ｃは、ヘッド・キャップ１３の被嵌合部２５を、打球部５の嵌合部１９に嵌合させるとき、嵌合部１９の先端外周縁に摺接して嵌合をガイドする機能を奏する。
【００４１】
そして、前記突当部１７及び被突当部２３を突き当てるように前記嵌合部１９及び被嵌合部２５を嵌合させると共に、先端嵌合部１９ｄに嵌合凹部２７を嵌合させ、且つ係合凹部２１に被係合凸部２９を係合させて先端部１１へのヘッド・キャップ１３の取り付けを行なう。
【００４２】
この取り付け時に、テーパー面２９ｃが先端嵌合部１９ｄの先端外周縁で摺接ガイドされて先端嵌合部１９ｄの外周側を乗り越え、同時に面取り部２７ｄが先端嵌合部１９ｄの先端内周縁にガイドされて嵌合凹部２７の内径側２７ｂが嵌合部１９の内周面１９ａ側に至って先端嵌合部１９ｄに嵌合凹部２７が嵌合する。
【００４３】
この取り付け状態では、突当部１７及び被突当部２３が外周面に段差が殆どないように突き当たり、嵌合部１９の内外周面１９ａ、１９ｂが、先端嵌合部１９ｄにおいて嵌合凹部２７内の外内径側２７ｂ、２７ｃに隙間なく嵌合する。また、係合凹部２１の係合面２１ａに被係合凸部２９の被係合面２９ａが軸方向に係合する。
【００４４】
被係合凸部２９の内周面２９ｂは、係合凹部２１の底部２１ｂに当接する。
【００４５】
かかる嵌合、係合、及び当接により打球部５の先端部１１にヘッド・キャップ１３が強固に固定される。
【００４６】
このヘッド・キャップ１３の固定状態において、突当部１７及び被突当部２３間等にボールが当たると、突当部１７側では打球部５の一般部５ａがボールに反発力を与える。
【００４７】
ヘッド・キャップ１３の被突当部２３側では、ヘッド・キャップ１３の多少の弾性変形を伴いながら、内周側がテーパー面２１ｃに規制されて自由な変形が抑制され、テーパー面２１ｃから打球部５の一般部５ａ側へ荷重伝達が行われる。
【００４８】
ヘッド・キャップ１３側では、さらに被係合凸部２９から係合凹部２１の底部２１ｂを介して係合凹部２１から嵌合部１９に径方向の荷重伝達が行われ、また、ヘッド・キャップ１３の嵌合凹部２７から嵌合部１９に径方向の荷重伝達が行われる。
【００４９】
嵌合部１９に伝達された径方向の荷重は、嵌合部１９の基部から打球部５の一般部５ａ側へ伝達される。
【００５０】
これらヘッド・キャップ１３から打球部５への径方向の荷重伝達により、ヘッド・キャップ１３の支持を確実に行いながらボールに反発力を与えることができる。
【００５１】
径方向の荷重伝達が終了すると、ヘッド・キャップ１３は弾性力により多少の変形が復元し、突当部１７及び被突当部２３間の段差のない突き当てが再現される。
【００５２】
ヘッド・キャップ１３の先方への抜け荷重は、被係合凸部２９の被係合面２９ａが係合凹部２１の係合面２１ａに係合して嵌合部１９に伝達され、ヘッド・キャップ１３の脱落が規制され、突当部１７及び被突当部２３間の段差のない突き当ても維持される。
【００５３】
したがって、バット基材３側の嵌合部１９にヘッド・キャップ１３側の被嵌合部２５が嵌合された状態で、嵌合部１９の係合凹部２１にヘッド・キャップ１３の被係合凸部２９が軸方向及び径方向に係合することで、嵌合部１９及び嵌合凹部２７の嵌合と係合凹部２１及び被係合凸部２９の係合とが相互に関連して動きが規制され、ヘッド・キャップ１３をバット基材３の先端部１１に強固に取り付けることができる。
【実施例２】
【００５４】
図３、図４は、本発明の実施例２に係り、図３は、打球用バットのヘッド・キャップ取り付け構造を示す先端部側の断面図、図４は、打球用バットのヘッド・キャップ取り付け構造を示す先端部側の要部拡大断面図である。なお、基本的な構成は実施例１と同様であり、同一構成部分には同符号を付し、対応する構成部分には、同符号にＡを付し、重複した説明は省略する。
【００５５】
図３、図４のように、本実施例２の打球用バット１Ａは、実施例１の打球用バット１に対し、キャップ本体部３1Ａの後方側の面３１Ａａに肉抜き部３１Ａｂを設けて軸方向の肉厚を薄く形成し、ヘッド・キャップ１３Ａの軽量化を図った。面３１Ａａは、被突当部２３に対し軸方向で同等位置に形成され、嵌合凹部２７Ａの軸方向長さが長く設定され、嵌合部１９と同等に設定されている。
【００５６】
したがって、本実施例２では、肉抜き部３１Ａｂによってヘッド・キャップ１３Ａの軽量化が図れると共に、嵌合部１９の全長に渡って嵌合凹部２７Ａが嵌合し、嵌合部１９に対する嵌合凹部２７Ａの嵌合がより強固となる。
【実施例３】
【００５７】
図５、図６は、本発明の実施例３に係り、図５は、打球用バットのヘッド・キャップ取り付け構造を示す先端部側の断面図、図６は、打球用バットのヘッド・キャップ取り付け構造を示す先端部側の要部拡大断面図である。なお、基本的な構成は実施例１と同様であり、同一構成部分には同符号を付し、対応する構成部分には、同符号にＢを付し、重複した説明は省略する。
【００５８】
図５、図６のように、本実施例３の打球用バット１Ｂは、実施例１の打球用バット１に対し、係合凹部２１Ｂが、嵌合部１９Ｂの内周面１９Ｂａ側に凹状に周回形成されたものである。
【００５９】
被係合凸部２９Ｂは、嵌合凹部２７Ｂ内の内径側２７Ｂｂに径方向へ突出するように周回形成されている。
【００６０】
ヘッド・キャップ１３Ｂのキャップ本体部３1Ｂの後方側の面３１Ｂａに肉抜き部３１Ｂｂが設けられているのは実施例２と同様であり、ヘッド・キャップ１３Ｂの軽量化が図られている。面３１Ｂａは、被突当部２３に対し軸方向で先方位置に形成され、嵌合凹部２７Ｂの軸方向の長さは、被嵌合部２５Ｂよりも若干短く形成されている。
【００６１】
被嵌合部２５Ｂは、内周面に被係合凸部が設けられず、嵌合部１９Ｂの円筒面状の外周面１９Ｂｂに被嵌合部２５の円筒面状の内周面２５Ｂａが接している。この場合の内周面２５Ｂａは、嵌合凹部２７Ｂ内の外径側２７Ｂｃを含めた概念である。
【００６２】
したがって、本実施例３では、肉抜き部３１Ｂｂによってヘッド・キャップ１３Ｂの軽量化が図れると共に、嵌合部１９Ｂの内周でヘッド・キャップ１３Ｂを係止させることができる。
【実施例４】
【００６３】
図７、図８は、本発明の実施例４に係り、図７は、打球用バットのヘッド・キャップ取り付け構造を示す先端部側の断面図、図８は、打球用バットのヘッド・キャップ取り付け構造を示す先端部側の要部拡大断面図である。なお、基本的な構成は実施例３と同様であり、同一構成部分には同符号を付し、対応する構成部分には、同符号にＣを付し、また、符号のＢをＣに代えて付し、重複した説明は省略する。
【００６４】
図７、図８のように、本実施例４の打球用バット１Ｃは、嵌合部１９Ｃの先端に、嵌合凹部２７Ｃに嵌合させるためのインナー・フランジ１９Ｃｄを有している。嵌合部１９Ｃの先端がインナー・フランジ１９Ｃｄを含めて、実施例３の前記先端嵌合部１９Ｂｄ等に相当する。
【００６５】
係合部としての係合凸部２１Ｃは、インナー・フランジ１９Ｃｄの内周部に備えられ、嵌合凹部２７Ｃは、嵌合部１９Ｃの先端でインナー・フランジ１９Ｃｄを含めた形状に応じた形状を備えている。
【００６６】
こうして嵌合部１９Ｃ及びインナー・フランジ１９Ｃｄが断面でＬ字状を成すため、このＬ字に応じて嵌合凹部２７Ｃの径方向幅が内径側に拡大している。
【００６７】
インナー・フランジ１９Ｃｄの内周側には、先方側の面に斜面２１Ｃｄが形成されている。インナー・フランジ１９Ｃｄの内周面１９Ｃａａは、円筒面に形成されている。
【００６８】
嵌合凹部２７Ｃ内の内径側２７Ｃｂに被係合凸部２９Ｃが形成され、被係合部を構成している。
【００６９】
嵌合凹部２７Ｃ内の内径側２７Ｃｂと嵌合凹部２７Ｃの奥壁２７Ｃａの内径側との間には、斜面２７Ｃｄが形成されている。
【００７０】
したがって、組み付け時にテーパー面２９Ｃｃが斜面２１Ｃｄに摺接ガイドされ、被係合凸部２９Ｃが係合部２１Ｃを内径側で乗り越え、インナー・フランジ１９Ｃｄの部分で嵌合部１９Ｃが嵌合凹部２７Ｃに嵌合する。
【００７１】
この嵌合状態で、斜面２１Ｃｄに斜面２７Ｃｄが当接し、嵌合部１９Ｃの嵌合凹部２７Ｃに対する嵌合が確実に行われ、被係合凸部２９Ｃが、係合部２１Ｃに係合する。
【００７２】
こうして、本実施例４では、肉抜き部３１Ｃｂによってヘッド・キャップ１３Ｃの軽量化が図れると共に、係合部２１Ｃと被係合凸部２９Ｃとの係合代を確実に確保することができる。
【実施例５】
【００７３】
図９、図１０は、本発明の実施例５に係り、図９は、打球用バットのヘッド・キャップ取り付け構造を示す先端部側の断面図、図１０は、打球用バットのヘッド・キャップ取り付け構造を示す先端部側の要部拡大断面図である。なお、基本的な構成は実施例３と同様であり、同一構成部分には同符号を付し、対応する構成部分には、同符号にＤを付し、また、符号のＢをＤに代えて付し、重複した説明は省略する。
【００７４】
図９、図１０のように、本実施例５の打球用バット１Ｄは、バット基材３Ｄが、打球部５Ｄにおいてウレタン・フォーム等の弾性体３３を備えたものである。バット基材３Ｄは、上記実施例同様に金属製又は繊維強化プラスチック製で中空状に形成されており、打球部５Ｄでの外周面がテーパー部７側よりも縮径形成されて弾性体３３を備えている。弾性体３３の外周面が、打球部５Ｄでの外周面を構成する。弾性体３３は、バット基材３Ｄを型に入れて発泡形成したもの、又は発泡形成した弾性体３３をバット基材３Ｄに後組み付けするものの何れでもよい。
【００７５】
突当部１７Ｄは、弾性体３３の軸方向先端に備えられ、嵌合部１９Ｄは、バット基材３Ｄに備えられ、突当部１７Ｄよりも先方に突出形成されている。
【００７６】
嵌合部１９Ｄの先端において内周側に、係合部として係合凸部２１Ｄが備えられている。係合凸部２１Ｄは、径方向内向きの凸部として周回形成されている。
【００７７】
嵌合凹部２７Ｄ内に被係合凸部２９Ｄを備えており、被係合凸部２９Ｄの外周面２９Ｄｂを含めて嵌合凹部２７Ｄの内径側２７Ｄｂが段付き状に形成されている。
【００７８】
したがって、テーパー面２９Ｄｃが係合凸部２１Ｄに摺接ガイドされて係合凸部２１Ｄを内径側で乗り越え、係合凸部２１Ｄが被係合凸部２９Ｄに軸方向に係合し、嵌合部１９Ｄが嵌合凹部２７Ｄに嵌合する。この状態で、突当部１７Ｄに被突当部２３Ｄが、隙間なく段差なく当接する。
【００７９】
こうして、本実施例５でも、ヘッド・キャップ１３Ｄをバット基材３Ｄの先端部１１Ｄに強固に取り付けることができる。
【実施例６】
【００８０】
図１１、図１２は、本発明の実施例６に係り、図１１は、打球用バットのヘッド・キャップ取り付け構造を示す先端部側の断面図、図１２は、打球用バットのヘッド・キャップ取り付け構造を示す先端部側の要部拡大断面図である。なお、基本的な構成は実施例５と同様であり、同一構成部分には同符号を付し、対応する構成部分には、同符号にＥを付し、また、符号のＤをＥに代えて付し、重複した説明は省略する。
【００８１】
図１１、図１２のように、本実施例６の打球用バット１Ｅは、嵌合部１９Ｅの外周側に、係合部としての係合段部２１Ｅを備えている。係合段部２１Ｅは、バット基材３Ｅの段差として形成されている。
【００８２】
弾性体３３Ｅに備えた突当部１７Ｅに、軸方向の先端に向いた外側嵌合凸部１７Ｅａを備えている。外側嵌合凸部１７Ｅａは、断面において先端がヘッド・キャップ１３Ｅのコーナー１３Ｅａに沿ってアール状に形成されている。
【００８３】
ヘッド・キャップ１３Ｅは、被突当部２３Ｅ及び嵌合凹部２７Ｅの軸方向間での内周側に、被係合凸部２９Ｅを備え、被突当部２３Ｅに、軸方向で外側嵌合凸部１７Ｅａに向いた外側嵌合凹部２３Ｅａを備えている。外側嵌合凹部２３Ｅａは、外側嵌合凸部１７Ｅａに嵌合する形状に形成されている。キャップ本体部３１Ｅに肉抜き部は形成されないが、外側嵌合凹部２３Ｅａが肉抜き部と同等の機能を奏し、軽量化が図られている。
【００８４】
ヘッド・キャップ１３Ｅにおいて、嵌合凹部２７Ｅ内の外径側２７Ｅｃを構成する周壁部３５Ｅは、被突当部２３Ｅの軸方向位置と同等の長さに形成されている。
【００８５】
そして、弾性体３３Ｅの外側嵌合凸部１７Ｅａにヘッド・キャップ１３Ｅの外側嵌合凹部２３Ｅａを嵌合させた。被係合凸部２９Ｅのテーパー面２９Ｅｃは、弾性体３３Ｅに食い込む形態となる。
【００８６】
したがって、突当部１７Ｅに対する被突当部２３Ｅの結合強度を増大させることができる。
【実施例７】
【００８７】
図１３、図１４は、本発明の実施例７に係り、図１３は、打球用バットのヘッド・キャップ取り付け構造を示す先端部側の断面図、図１４は、打球用バットのヘッド・キャップ取り付け構造を示す先端部側の要部拡大断面図である。なお、基本的な構成は実施例６と同様であり、同一構成部分には同符号を付し、対応する構成部分には、同符号にＦを付し、また、符号のＥをＦに代えて付し、重複した説明は省略する。
【００８８】
図１３、図１４のように、本実施例７の打球用バット１Ｆは、ヘッド・キャップ１３Ｆにおいて、嵌合凹部２７Ｆ内の外径側２７Ｆｃを構成する周壁部３５が、軸方向で被突当部２３Ｆよりも後方へ延出している。
【００８９】
係合凹部２１Ｆは、嵌合部１９Ｆの外周側に備えられ、被係合凸部２９Ｆは、被突当部２３Ｆ及び嵌合凹部２７Ｆ間の内周側に備えられている。この場合、被係合凸部２９Ｆの位置は、被係合面２９Ｆａを基準としている。
【００９０】
したがって、バット基材３Ｆに対するヘッド・キャップ１３Ｆの径方向への動きが周壁部３５及びバット基材３Ｆ間で強く規制され、ヘッド・キャップ１３Ｆをバット基材３Ｆの先端部１１Ｆに、より強固に取り付けることができる。
【実施例８】
【００９１】
図１５、図１６は、本発明の実施例８に係り、図１５は、打球用バットのヘッド・キャップ取り付け構造を示す先端部側の断面図、図１６は、打球用バットのヘッド・キャップ取り付け構造を示す先端部側の要部拡大断面図である。なお、基本的な構成は実施例７と同様であり、同一構成部分には同符号を付し、対応する構成部分には、同符号にＧを付し、また、符号のＦをＧに代えて付し、重複した説明は省略する。
【００９２】
図１５、図１６のように、本実施例８の打球用バット１Ｇは、実施例７の打球用バット１Ｆに対し、係合凹部２１Ｇ及び被係合凸部２９Ｇの内外関係を逆に構成した。
【００９３】
つまり、本実施例８の係合凹部２１Ｇは、嵌合部１９Ｇの内周側に備えられ、被係合凸部２９Ｇは、嵌合凹部２７Ｇ内の内径側２７Ｇｂに備えられている。
【００９４】
そして、嵌合凹部２７Ｇ内の内径側２７Ｇｂを構成する周壁部３７が、軸方向で被突当部２３Ｇよりも後方へ延出している。
【００９５】
突当部１７Ｇと被突当部２３Ｇとの関係は、図９、図１０の実施例５と同様である。
【００９６】
したがって、実施例７と同様に周壁部３７によりヘッド・キャップ１３Ｇをバット基材３Ｇの先端部１１Ｇに、より強固に取り付けることができる。
【実施例９】
【００９７】
図１７、図１８は、本発明の実施例９に係り、図１７は、打球用バットのヘッド・キャップ取り付け構造を示す先端部側の断面図、図１８は、打球用バットのヘッド・キャップ取り付け構造を示す先端部側の要部拡大断面図である。なお、基本的な構成は実施例５と同様であり、同一構成部分には同符号を付し、対応する構成部分には、同符号にＨを付し、また、符号のＤをＨに代えて付し、重複した説明は省略する。
【００９８】
図１７、図１８のように、本実施例９の打球用バット１Ｈは、弾性体３３Ｈに備えた突当部１７Ｈに、軸方向の先方に向いた外側嵌合凸部１７Ｈａを備えている。外側嵌合凸部１７Ｈａは、断面において先端が半円状に形成されている。
【００９９】
被突当部２３Ｈには、軸方向で外側嵌合凸部１７Ｈａに向いた外側嵌合凹部２３Ｈａを備えている。外側嵌合凹部２３Ｈａは、外側嵌合凸部１７Ｈａに嵌合する形状に形成されている。
【０１００】
そして、弾性体３３Ｈの外側嵌合凸部１７Ｈａにヘッド・キャップ１３Ｈの外側嵌合凹部２３Ｈａを嵌合させた。
【０１０１】
したがって、実施例５に対して、突当部１７Ｈに対する被突当部２３Ｈの結合強度を増大させることができる。
【実施例１０】
【０１０２】
図１９、図２０は、本発明の実施例１０に係り、図１９は、打球用バットのヘッド・キャップ取り付け構造を示す先端部側の断面図、図２０は、打球用バットのヘッド・キャップ取り付け構造を示す先端部側の要部拡大断面図である。なお、基本的な構成は実施例５と同様であり、同一構成部分には同符号を付し、対応する構成部分には、同符号にＩを付し、また、符号のＤをＩに代えて付し、重複した説明は省略する。
【０１０３】
図１９、図２０のように、本実施例１０の打球用バット１Ｉは、実施例５に対して、外側嵌合凸部１７Ｉａ及び外側嵌合凹部２３Ｉａを実施例６と同様に備えた。
【０１０４】
したがって、実施例５に対して、突当部１７Ｉに対する被突当部２３Ｉの結合強度を増大させることができる。
【実施例１１】
【０１０５】
図２１、図２２は、本発明の実施例１１に係り、図２１は、打球用バットのヘッド・キャップ取り付け構造を示す先端部側の断面図、図２２は、打球用バットのヘッド・キャップ取り付け構造を示す先端部側の要部拡大断面図である。なお、基本的な構成は実施例６と同様であり、同一構成部分には同符号を付し、対応する構成部分には、同符号にＪを付し、また、符号のＥをＪに代えて付し、重複した説明は省略する。
【０１０６】
図２１、図２２のように、本実施例１１の打球用バット１Ｊは、実施例６に対し、ヘッド・キャップ１３Ｊのキャップ本体部３１Ｊに肉抜き部３１Ｊｂを設け、周壁部３７Ｊを段付き形状とし、周壁部３７Ｊの軸方向長さを周壁部３５Ｊと同等に設定している。
【０１０７】
したがって、本実施例１１では、周壁部３７Ｊ及び周壁部３５Ｊ間のほぼ全体に嵌合凹部２７Ｊが構成され、ヘッド・キャップ１３Ｊをバット基材３Ｊの先端部１１Ｊに、より強固に取り付けることができる。
【実施例１２】
【０１０８】
図２３、図２４は、本発明の実施例１２に係り、図２３は、打球用バットのヘッド・キャップ取り付け構造を示す先端部側の断面図、図２４は、打球用バットのヘッド・キャップ取り付け構造を示す先端部側の要部拡大断面図である。なお、基本的な構成は実施例７と同様であり、同一構成部分には同符号を付し、対応する構成部分には、同符号にＫを付し、また、符号のＦをＫに代えて付し、重複した説明は省略する。
【０１０９】
図２３、図２４のように、本実施例１２の打球用バット１Ｋは、実施例７に対し、ヘッド・キャップ１３Ｋのキャップ本体部３１Ｋに肉抜き部３１Ｋｂを設け、周壁部３７Ｋを周壁部３５Ｋと同長さとし、各周壁部３５Ｋ、３７Ｋを、軸方向で被突当部２３Ｋよりも後方へ延出させている。
【０１１０】
係合凹部２１Ｋは、嵌合部１９Ｋの外周側に備えられ、被係合凸部２９Ｋは、嵌合凹部２７Ｋ内の外径側２７Ｋｃに備えられている。
【０１１１】
したがって、本実施例１２では、周壁部３７Ｋ及び周壁部３５Ｋ間のほぼ全体に長い嵌合凹部２７Ｋが構成され、ヘッド・キャップ１３Ｋをバット基材３Ｋの先端部１１Ｋに、より強固に取り付けることができる。
【実施例１３】
【０１１２】
図２５、図２６は、本発明の実施例１３に係り、図２５は、打球用バットのヘッド・キャップ取り付け構造を示す先端部側の断面図、図２６は、打球用バットのヘッド・キャップ取り付け構造を示す先端部側の要部拡大断面図である。なお、基本的な構成は実施例８と同様であり、同一構成部分には同符号を付し、対応する構成部分には、同符号にＬを付し、また、符号のＧをＬに代えて付し、重複した説明は省略する。
【０１１３】
図２５、図２６のように、本実施例１３の打球用バット１Ｌは、実施例８に対し、外側嵌合凸部１７Ｌａ及び外側嵌合凹部２３Ｌａを実施例６と同様に備えた。
【０１１４】
したがって、実施例８に対して、突当部１７Ｌに対する被突当部２３Ｌの結合強度を増大させることができる。
【符号の説明】
【０１１５】
１、１Ａ、１Ｂ、１Ｃ、１Ｄ、１Ｅ、１Ｆ、１Ｇ、１Ｈ、１Ｉ、１Ｊ、１Ｋ、１Ｌ  打球用バット
３、３Ａ、３Ｂ、３Ｃ、３Ｄ、３Ｅ、３Ｆ、３Ｇ、３Ｈ、３Ｉ、３Ｊ、３Ｋ、３Ｌ  バット基材
５、５Ａ、５Ｂ、５Ｃ、５Ｄ、５Ｅ、５Ｆ、５Ｇ、５Ｈ、５Ｉ、５Ｊ、５Ｋ、５Ｌ  打球部
７  テーパ−部
９  グリップ部
１１、１１Ａ、１１Ｂ、１１Ｃ、１１Ｄ、１１Ｅ、１１Ｆ、１１Ｇ、１１Ｈ、１１Ｉ、１１Ｊ、１１Ｋ、１１Ｌ  先端部
１３、１３Ａ、１３Ｂ、１３Ｃ、１３Ｄ、１３Ｅ、１３Ｆ、１３Ｇ、１３Ｈ、１３Ｉ、１３Ｊ、１３Ｋ、１３Ｌ  ヘッド・キャップ
１７１、１７Ａ、１７Ｂ、１７Ｃ、１７Ｄ、１７Ｅ、１７Ｆ、１７Ｇ、１７Ｈ、１７Ｉ、１７Ｊ、１７Ｋ、１７Ｌ  突当部
１７Ｅａ、１７Ｆａ、１７Ｈａ、１７Ｉａ、１７Ｊａ、１７Ｋａ、１７Ｌａ  外側嵌合凸部
１９１、１９Ａ、１９Ｂ、１９Ｃ、１９Ｄ、１９Ｅ、１９Ｆ、１９Ｇ、１９Ｈ、１９Ｉ、１９Ｊ、１９Ｋ、１９Ｌ  嵌合部
１９Ｃｄ  インナー・フランジ
２１、２１Ｂ、２１Ｆ、２１Ｇ、２１Ｊ、２１Ｋ、２１Ｌ  係合凹部（係合部）
２１Ｃ  係合部
２１Ｄ、２１Ｈ、２１Ｉ  係合凸部（係合部）
２１Ｅ、２１Ｊ  係合段部（係合部）
２３、２３Ａ、２３Ｂ、２３Ｃ、２３Ｄ、２３Ｅ、２３Ｆ、２３Ｇ、２３Ｈ、２３Ｉ、２３１Ｊ、２３Ｋ、２３Ｌ  被突当部
２３Ｅａ、２３Ｆａ、２３Ｈａ、２３Ｉａ、２３Ｊａ、２３Ｋａ、２３Ｌａ  外側嵌合凹部
２５、２５Ａ、２５Ｂ、２５Ｃ、２５Ｄ、２５Ｅ、２５Ｆ、２５Ｇ、２５Ｈ、２５Ｉ、２５１Ｊ、２５Ｋ、２５Ｌ  被嵌合部
２７、２７Ａ、２７Ｂ、２７Ｃ、２７Ｄ、２７Ｅ、２７Ｆ、２７Ｇ、２７Ｈ、２７Ｉ、２７１Ｊ、２７Ｋ、２７Ｌ  嵌合凹部
２９、２９Ａ、２９Ｂ、２９Ｃ、２９Ｄ、２９Ｅ、２９Ｆ、２９Ｇ、２９Ｈ、２９Ｉ、２９１Ｊ、２９Ｋ、２９Ｌ  被係合凸部（被係合部）
３３Ｄ、３３Ｅ、３３Ｆ、３３Ｇ、３３Ｈ、３３Ｉ、３３Ｊ、３３Ｋ、３３Ｌ  弾性体
３５、３５Ｅ、３５Ｉ、３５Ｊ、３５Ｋ、３５Ｌ  周壁部
３７、３７Ｊ、３７Ｋ、３７Ｌ  周壁部
【図１】
2015012979.tif 000003
【図２】
2015012979.tif 000004
【図３】
2015012979.tif 000005
【図４】
2015012979.tif 000006
【図５】
2015012979.tif 000007
【図６】
2015012979.tif 000008
【図７】
2015012979.tif 000009
【図８】
2015012979.tif 000010
【図９】
2015012979.tif 000011
【図１０】
2015012979.tif 000012
【図１１】
2015012979.tif 000013
【図１２】
2015012979.tif 000014
【図１３】
2015012979.tif 000015
【図１４】
2015012979.tif 000016
【図１５】
2015012979.tif 000017
【図１６】
2015012979.tif 000018
【図１７】
2015012979.tif 000019
【図１８】
2015012979.tif 000020
【図１９】
2015012979.tif 000021
【図２０】
2015012979.tif 000022
【図２１】
2015012979.tif 000023
【図２２】
2015012979.tif 000024
【図２３】
2015012979.tif 000025
【図２４】
2015012979.tif 000026
【図２５】
2015012979.tif 000027
【図２６】
2015012979.tif 000028
【図２７】
2015012979.tif 000029
【図２８】
2015012979.tif 000030
【図２９】
2015012979.tif 000031
【図３０】
2015012979.tif 000032
【図３１】
2015012979.tif 000033